(57)【要約】【課題】車体の組付途中においてもルーフバックメンバの剛性を保ち、さらにはドリップレールの支持剛性も向上可能な車両後部構造を提供することを目的とする。【解決手段】本発明にかかる車両後部構造１００は、車両のバックドアの上方にてルーフパネル１０２を支える。車両後部構造１００は、バックドアの上縁に沿って車幅方向に延びていてルーフパネル１０２の下側に接合されるルーフバックメンバ１１０と、ルーフバックメンバ１１０の後側に車幅方向にわたって接合され後方へ突出していて雨水を案内するドリップレール１０４と、ルーフバックメンバ１１０およびドリップレール１０４の上側に接合される複数のルーフバックリンフォース１１２ａとを備え、ルーフバックメンバ１１０は、上方が開放された溝型になっていて、ルーフバックリンフォース１１２ａは、溝型のルーフバックメンバ１１０に閉断面を形成することを特徴とする。【選択図】図１
2019156017.tif 000002
【特許請求の範囲】
【請求項１】
車両のバックドアの上方にてルーフパネルを支える車両後部構造において、
前記バックドアの上縁に沿って車幅方向に延びていて前記ルーフパネルの下側に接合されるルーフバックメンバと、
前記ルーフバックメンバの後側に車幅方向にわたって接合され後方へ突出していて雨水を案内するドリップレールと、
前記ルーフバックメンバおよびドリップレールの上側に接合される１または複数の第１の補強部材とを備え、
前記ルーフバックメンバは、上方が開放された溝型になっていて、
前記第１の補強部材は、前記溝型のルーフバックメンバに閉断面を形成することを特徴とする車両後部構造。
【請求項２】
前記ドリップレールは、車幅方向に間隔をおいて隆起している複数のビードを有し、
前記第１の補強部材は、前記ドリップレールのうち前記ビードの間の範囲に接合されていることを特徴とする請求項１に記載の車両後部構造。
【請求項３】
前記ドリップレールは、前記ルーフバックメンバよりも車幅方向外側にまで延びていて、
当該車両後部構造はさらに、
前記バックドアの側縁に沿って上方へ延びて前記ルーフバックメンバの車幅方向端部に接合すると共に前記ドリップレールの前縁にも接合するバックピラーと、
前記バックピラーおよび前記ドリップレールの上側に接合される１または複数の第２の補強部材とを備え、
前記バックピラーは、前記溝型のルーフバックメンバに連続して上方が開放された溝型になっていて、
前記第２の補強部材は、前記溝型のバックピラーに閉断面を形成することを特徴とする請求項１または２に記載の車両後部構造。
【請求項４】
当該車両後部構造はさらに、隣り合う前記第１の補強部材と前記第２の補強部材とをつなぐ連結部材を備え、
前記連結部材は、前記ルーフバックメンバと前記バックピラーとの境界をまたいでいることを特徴とする請求項３に記載の車両後部構造。
【請求項５】
前記ドリップレールは、車幅方向に間隔をおいて隆起している複数のビードを有し、
前記第２の補強部材は、前記ドリップレールのうち前記ビードの間の範囲に接合されていることを特徴とする請求項３または４に記載の車両後部構造。
【請求項６】
当該車両後部構造はさらに、前記ルーフバックメンバの前側の所定箇所に取り付けられてルームランプを支えるランプ固定ブラケットを備え、
前記第１の補強部材は、前記ランプ固定ブラケットの車幅方向両側に設けられることを特徴とする請求項１から５のいずれか１項に記載の車両後部構造。
【発明の詳細な説明】
【技術分野】
【０００１】
本発明は、車両後部構造に関するものである。
【背景技術】
【０００２】
車両には、ドリップレールと呼ばれる雨といが設けられる場合がある。ドリップレールは、ドア用開口の上方などにてルーフパネルの端よりも突出した構造になっていて、雨水がドア用開口へ流れ落ちるのを防いでいる。例えば特許文献１には、ドリップレールに類似した構造物であるドリップチャンネル５が、バックドア用開口の上方に備えられている様子が開示されている。
【先行技術文献】
【特許文献】
【０００３】
【特許文献１】実公平７−３０４５９号公報
【発明の概要】
【発明が解決しようとする課題】
【０００４】
車両のバックドア用開口は、主に、左右のバックピラーの上部を、梁（はり）の役目をするルーフバックメンバでつないだ構造になっている。上述したドリップレールを有する車両の場合、ドリップレールはルーフバックメンバの後側に接合されていることが多い。
【０００５】
ここで、車体の組付工程においては、ドリップレールの無い車両の場合、先にルーフバックメンバをルーフパネルの下側に接合させておき、そこへバックピラーを接合させる手順が採られていた。
【０００６】
一方、ドリップレールを有する車両の場合、ルーフバックメンバからは車両後方へドリップレールが突出している。そのため、このルーフバックメンバをルーフパネルに接合させてしまうと、ドリップレールが干渉して後のバックピラーの接合作業が困難になってしまう。そのため、ドリップレールを有する車両では、先にルーフバックメンバとバックピラーとを接合させておき、そこへ上からルーフパネルを接合させる手順が採られていた。
【０００７】
しかし、上記ドリップレールを有する車両の組付工程において、ルーフパネルを接合させる前は、左右のバックピラーをルーフバックメンバのみでつないだ状態となる。その状態では剛性は保ち難く、ルーフパネルの接合作業も不安定となり、作業の精度や効率に影響が出るおそれがあった。
【０００８】
本発明は、このような課題に鑑み、車体の組付途中においてもルーフバックメンバの剛性を保ち、さらにはドリップレールの支持剛性も向上可能な車両後部構造を提供することを目的としている。
【課題を解決するための手段】
【０００９】
上記課題を解決するために、本発明にかかる車両後部構造の代表的な構成は、車両のバックドアの上方にてルーフパネルを支える車両後部構造において、バックドアの上縁に沿って車幅方向に延びていてルーフパネルの下側に接合されるルーフバックメンバと、ルーフバックメンバの後側に車幅方向にわたって接合され後方へ突出していて雨水を案内するドリップレールと、ルーフバックメンバおよびドリップレールの上側に接合される１または複数の第１の補強部材とを備え、ルーフバックメンバは、上方が開放された溝型になっていて、第１の補強部材は、溝型のルーフバックメンバに閉断面を形成することを特徴とする。
【発明の効果】
【００１０】
本発明によれば、車体の組立途中においてもルーフバックメンバの剛性を保ち、さらにはドリップレールの支持剛性も向上可能な車両後部構造を提供することが可能となる。
【図面の簡単な説明】
【００１１】
【図１】本発明の実施例に係る車両後部構造の概要を示す図である。
【図２】図１（ｂ）の車両後部構造を車両前方の右上方から見た斜視図である。
【図３】図１（ｂ）の車両後部構造を各方向から示した図である。
【図４】図３（ｂ）のルーフバックリンフォースのＡ−Ａ断面図である。
【発明を実施するための形態】
【００１２】
本発明の一実施の形態に係る車両後部構造は、車両のバックドアの上方にてルーフパネルを支える車両後部構造において、バックドアの上縁に沿って車幅方向に延びていてルーフパネルの下側に接合されるルーフバックメンバと、ルーフバックメンバの後側に車幅方向にわたって接合され後方へ突出していて雨水を案内するドリップレールと、ルーフバックメンバおよびドリップレールの上側に接合される１または複数の第１の補強部材とを備え、ルーフバックメンバは、上方が開放された溝型になっていて、第１の補強部材は、溝型のルーフバックメンバに閉断面を形成することを特徴とする。
【００１３】
上記の第１の補強部材によれば、ルーフバックメンバの剛性が向上するため、車体の組付途中においても車体剛性を向上させることができる。したがって、ルーフパネルの組付作業においても車体剛性を確保し、作業の効率と精度とを高めることが可能になる。特に、ルーフバックメンバを全体的に閉断面にするのではなく、第１の補強部材によって部分的にのみ閉断面にすることで、車体の軽量化を図ることも可能になる。
【００１４】
また、上記構成であれば、第１の補強部材によってドリップレールの支持剛性も向上するため、ドリップレールによる雨水の排出をより効率よく行うことが可能になる。
【００１５】
上記のドリップレールは、車幅方向に間隔をおいて隆起している複数のビードを有し、第１の補強部材は、ドリップレールのうちビードの間の範囲に接合されていてもよい。
【００１６】
上記のビードを設けることで、ドリップレールの断面２次モーメントが向上し、ドリップレールの剛性をより高めることが可能になる。また、ビードの間の範囲であれば、第１の補強部材を効率よく接合させることが可能になる。
【００１７】
上記のドリップレールは、ルーフバックメンバよりも車幅方向外側にまで延びていて、当該車両後部構造はさらに、バックドアの側縁に沿って上方へ延びてルーフバックメンバの車幅方向端部に接合すると共にドリップレールの前縁にも接合するバックピラーと、バックピラーおよびドリップレールの上側に接合される１または複数の第２の補強部材とを備え、バックピラーは、溝型のルーフバックメンバに連続して上方が開放された溝型になっていて、第２の補強部材は、溝型のバックピラーに閉断面を形成してもよい。
【００１８】
上記の第２の補強部材によれば、バックピラーの剛性が向上し、車体の組付途中における車体剛性をさらに向上させることができる。このことも、ルーフパネルの接合時における車体剛性の確保につながる。また、バックピラーを全体的に閉断面にするのではなく、第２の補強部材によって部分的にのみ閉断面にすることで、車体の軽量化を図ることも可能になる。また、第２の補強部材によってもドリップレールの支持剛性は向上するため、ドリップレールによる雨水の排出をより効率よく行うことが可能になる。
【００１９】
当該車両後部構造はさらに、隣り合う第１の補強部材と第２の補強部材とをつなぐ連結部材を備え、連結部材は、ルーフバックメンバとバックピラーとの境界をまたいでいるとよい。
【００２０】
上記の連結部材によれば、ルーフバックメンバとバックピラーとの接合箇所を効率よく補強することが可能となる。
【００２１】
上記のドリップレールは、車幅方向に間隔をおいて隆起している複数のビードを有し、第２の補強部材は、ドリップレールのうちビードの間の範囲に接合されていてもよい。
【００２２】
上記構成によれば、上記のビードを設けることで、ドリップレールの断面２次モーメントが向上し、ドリップレールの剛性をより高めることが可能になる。また、ビードの間の範囲であれば、第２の補強部材を効率よく接合させることが可能になる。
【００２３】
当該車両後部構造はさらに、ルーフバックメンバの前側の所定箇所に取り付けられてルームランプを支えるランプ固定ブラケットを備え、ルーフバックリンフォースは、ランプ固定ブラケットの車幅方向両側に設けられてもよい。
【００２４】
上記のランプ固定ブラケットの接合によっても、ルーフバックメンバの剛性は向上する。そして、第１の補強部材をランプ固定ブラケットの車幅方向両側に設けることで、ルーフバックメンバの剛性をより効率よく向上させることが可能になる。
【実施例】
【００２５】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２６】
図１は、本発明の実施例に係る車両後部構造１００の概要を示す図である。以下、図１その他の本願のすべての図面において、車両前後方向をそれぞれ矢印F(Forward)、B(Backward)、車幅方向の左右をそれぞれ矢印L(Leftward)、R(Rightward)、車両上下方向をそれぞれ矢印U(Upward)、D(Downward)で例示する。
【００２７】
図１（ａ）は、車両後部構造１００を実施した車両のうち、特にルーフパネル１０２を車両後方から示している。車両後部構造１００は主に、バックドア（図示省略）の上方にてルーフパネル１０２を支える構造として機能している。
【００２８】
当該車両後部構造１００は、ドリップレール１０４を備えている。ドリップレール１０４は、雨どいの役割をする部位であり、例えばバックドア用開口Ｅ１の上方にて、ルーフパネル１０２から流れてきた雨水を車幅方向に案内して乗員が濡れるのを防ぐ。ドリップレール１０４は、ルーフパネル１０２の後方だけでなく側方にも設けられていて、ルーフパネル１０２の後方の領域をドリップレールリア１０４ａと呼び、ルーフパネル１０２の側方の領域をドリップレールサイド１０４ｂと呼んでいる。これらドリップレールリア１０４ａとドリップレールサイド１０４ｂは、ルーフパネル１０２の角部で連続している。
【００２９】
図１（ｂ）は、図１（ａ）のルーフパネル１０２を省略した図である。車両後部構造１００は、左右のバックピラー１０６、１０８と、バックピラー１０６、１０８をつなぐルーフバックメンバ１１０を含んでいる。バックドア用開口Ｅ１は、これらバックピラー１０６とルーフバックメンバ１１０によって形成されている。
【００３０】
バックピラー１０６、１０８は、車体の柱であり、バックドア（図示省略）の側縁に沿って主に上下方向に延びている。ルーフバックメンバ１１０は、車体の梁（はり）であり、バックドアの上縁に沿って車幅方向に延びている。前述したドリップレールリア１０４ａは、ルーフバックメンバ１１０の後側に車幅方向にわたって接合され、ルーフバックメンバ１１０から後方へ突出している。
【００３１】
ルーフバックメンバ１１０は、ルーフパネル１０２の下側に接合される。当該車両後部構造１００では、ルーフバックメンバ１１０の変形や歪みを抑えて車体剛性を高めるために、計２つのリンフォース１１２、１１４を備えている。リンフォース１１２、１１４は、車幅方向に設けられていて、ルーフバックメンバ１１０とバックピラー１０６、１０８およびドリップレールリア１０４ａに対して接合されている。
【００３２】
図２は、図１（ｂ）の車両後部構造１００を車両前方の右上方から見た斜視図である。ルーフバックメンバ１１０は、上方が開放された溝型になっている。この溝型のルーフバックメンバ１１０は、車両前側のルーフバックインナ１１０ａと、車両後側のルーフバックアウタ１１０ｂの、２つの部材から構成されている。ルーフバックインナ１１０ａは、ルーフバックメンバ１１０のうち、車両前側の前壁１１６を形成している。ルーフバックアウタ１１０ｂは、ルーフバックメンバ１１０のうち、車両後側の後壁１１８を形成している。上記のドリップレールリア１０４ａは、ルーフバックアウタ１１０ｂに車幅方向にわたって接合されている。
【００３３】
ルーフバックメンバ１１０は、上側が開放された溝型となっていることで、軽量化が達成されている。溝型のルーフバックメンバ１１０であっても、ルーフパネル１０２に接合してしまえば、上方を開放させた分の剛性は補うことができる。しかしながら、ルーフパネル１０２への接合前においては、上方を開放させたことによる剛性の損失分が組付作業等に影響することも考えられる。そこで、当該車両後部構造１００では、リンフォース１１２、１１４によって、ルーフバックメンバ１１０の補強を行っている。
【００３４】
リンフォース１１２、１１４は左右対称の同じ構造であり、以下では主に車幅方向右側のリンフォース１１２を例に挙げて説明を行う。リンフォース１１２は、車幅方向中央側の第１の補強部材であるルーフバックリンフォース１１２ａと、車幅方向外側の第２の補強部材であるピラーリンフォース１１２ｂの、計２つの補強部材を車幅方向に延びる連結部材１１２ｃでつないで一体化した構成になっている。同様に、リンフォース１１４は、ルーフバックリンフォース１１４ａとピラーリンフォース１１４ｂを連結部材１１４ｃで一体化した構成になっている。
【００３５】
ルーフバックリンフォース１１２ａは、車両前後方向に帯状に延びた形状になっていて、ルーフバックメンバ１１０とドリップレールリア１０４ａの上側とに接合され、これら部材を補強する。特に、ルーフバックリンフォース１１２ａは、ルーフバックメンバ１１０の前壁１１６の上端と後壁１１８の上端とをつなぎ、ルーフバックメンバ１１０の溝が開くような変形や歪みなどを抑えている。
【００３６】
再び図１（ｂ）を参照する。ルーフバックメンバ１１０の車幅方向外側には、後述するバックピラー１０６のピラー延長領域１０６ｂが接合されている。ピラーリンフォース１１２ｂは、車両前後方向に帯状に延びた形状になっていて、バックピラー１０６のピラー延長領域１０６ｂおよびドリップレールリア１０４ａの上側に接合され、これらの剛性を補助する。
【００３７】
図３は、図１（ｂ）の車両後部構造１００を各方向から示した図である。図３（ａ）は、車両後部構造１００を上方から示した図である。２つのリンフォース１１２、１１４は車幅方向に複数、特に車両中心線Ｌ１に対して車幅方向に対称に設けられている。
【００３８】
図３（ｂ）は、車両後部構造１００を車両後方から示した図である。上述したように、ルーフバックメンバ１１０の車幅方向外側には、バックピラー１０６のピラー延長領域１０６ｂが接合されている。詳しくは、バックピラー１０６はバックドア（図示省略）の側縁に沿って上方へ延び、ルーフバックメンバ１１０の車幅方向端部に接合される。このとき、バックドアの側縁に沿って延びているのがピラー柱領域１０６ａであり、ピラー柱領域１０６ａからバックドアの上縁に沿って湾曲しながら車内側へ延びている部位がピラー延長領域１０６ｂである。
【００３９】
ピラー延長領域１０６ｂもまた、溝型のルーフバックメンバ１１０に連続して、上方が開放された溝型になっている。ピラーリンフォース１１２ｂは、ピラー延長領域１０６ｂの前壁の上端と後壁の上端とをつなぎ、ピラー延長領域１０６ｂの開くような変形や歪みなどを抑えている。
【００４０】
図３（ａ）に示したように、ドリップレールリア１０４ａは、ルーフバックメンバ１１０よりも車幅方向外側にまで延びている。ピラー延長領域１０６ｂは、ルーフバックメンバ１１０に接合すると共にドリップレールリア１０４ａの前縁１２０にも接合する。そして、リンフォース１１２は、ルーフバックメンバ１１０とピラー延長領域１０６ｂとの境界である接合箇所１１３を車幅方向にまたぎつつ、ルーフバックメンバ１１０およびピラー延長領域１０６ｂとドリップレールリア１０４ａとに接合されている。特に、リンフォース１１２は、連結部材１１２ｃが接合箇所１１３を車幅方向にまたいでいることで、ルーフバックメンバ１１０とピラー延長部１０６ｂとの接続を効率よく補強することが可能になっている。
【００４１】
図４は、図３（ｂ）のルーフバックリンフォース１１２ａのＡ−Ａ断面図である。ルーフバックリンフォース１１２ａは、溝型のルーフバックメンバ１１０に閉断面を形成する。このルーフバックリンフォース１１２ａによれば、ルーフバックメンバ１１０の剛性が向上し、ルーフバックメンバ１１０のルーフパネル１０２への接合前、すなわち車体の組付途中においても車体剛性を向上させることができる。したがって、ルーフパネル１０２の組付作業において、車体剛性を確保し、作業の効率と精度とを高めることが可能になる。特に、ルーフバックメンバ１１０を全体的に閉断面にするのではなく、ルーフバックリンフォース１１２ａによって部分的にのみ閉断面にすることで、車体の軽量化を図ることも可能になる。
【００４２】
上述したように、図３（ａ）のピラー延長領域１０６ｂもまた、ルーフバックメンバ１１０に連続して上方が開口した溝型の構造になっている。ピラーリンフォース１１２ｂは、図４のルーフバックリンフォース１１２ａと同様に、溝型のピラー延長領域に閉断面を形成する。このピラーリンフォース１１２ｂによれば、ピラー延長領域１０６ｂの剛性が向上し、ピラー延長領域１０６ｂのルーフパネル１０２への接合前、すなわち車体の組付途中においても車体剛性を向上させることができる。この構成によっても、ルーフパネル１０２の組付作業時における車体剛性の確保につながる。また、ピラー延長領域１０６ｂを全体的に閉断面にするのではなく、ピラーリンフォース１１２ｂによってピラー延長領域１０６ｂを部分的にのみ閉断面にすることで、車体の軽量化を図ることも可能になる。
【００４３】
図４に示すように、ルーフバックアウタ１１０ｂからは車両後方へドリップレールリア１０４ａが延びていて、ルーフバックリンフォース１１２ａはこのドリップレールリア１０４ａの平面部１２２にも接合されている。同様に、ピラーリンフォース１１２ｂもドリップレールリア１０４ａの平面部１２２にも接合されている。これら構成によって、ドリップレールリア１０４ａは支持剛性が向上する。したがって、ドリップレールリア１０４ａは、雨水の重量がかかっても姿勢を維持することができ、雨水の排出をより効率よく行うことが可能になっている。
【００４４】
再び図２を参照する。ドリップレールリア１０４ａの平面部１２２には、車幅方向に間隔をおいて隆起している複数のビード１２４が形成されている。このビード１２４を設けることで、ドリップレールリア１０４ａの断面２次モーメントは向上し、ドリップレールリア１０４ａの剛性はより高められ、雨水の排水時にも姿勢をより好適に維持することが可能になる。
【００４５】
図３に示すように、ルーフバックリンフォース１１２ａおよびピラーリンフォース１１２ｂは、ドリップレールリア１０４ａの平面部１２２のうちビード１２４の間の範囲に接合されている。ビード１２４の間の範囲であれば、ルーフバックリンフォース１１２ａおよびピラーリンフォース１１２ｂを効率よく接合させることが可能になる。
【００４６】
同じく図３に示すように、本実施例では、ルーフバックメンバ１１０の前側の車幅方向中央には、ランプ固定ブラケット１２６が取り付けられている。ランプ固定ブラケット１２６は、ルームランプ（図示省略）を支える部品である。上述したように２つのリンフォース１１２、１１４が車両中心線Ｌ１に対して車幅方向に対称に設けられていることで、ルーフバックリンフォース１１２ａ、１１４ａはランプ固定ブラケット１２６の車幅方向両側に設けられた構成となっている。
【００４７】
上記のランプ固定ブラケット１２６の接合によっても、ルーフバックメンバ１１０の剛性は向上する。そして、ルーフバックリンフォース１１２ａ、１１４ａをランプ固定ブラケット１２６の車幅方向両側に設けることで、ランプ固定ブラケット１２６とルーフバックリンフォース１１２ａ、１１４ａとが相乗して働き、ルーフバックメンバ１１０の剛性をより効率よく向上させることが可能になる。また、ランプ固定ブラケット１２６のルームランプに対する支持剛性を両脇のルーフバックリンフォース１１２ａ、１１４ｂによって高め、ルームランプの共振を防ぐことも可能になる。
【００４８】
以上説明した当該リンフォース１１２、１１４を備えた車両後部構造１００は、横開きのバックドア（図示省略）を有する車両にてその機能がより好適に発揮される。横開きのバックドアは、バックドア用開口Ｅ１の上側（ルーフバックメンバ１１０側）ではなく横側（バックピラー１０６、１０８等のサイドボディ側）にドアヒンジが設けられるため、ルーフバックメンバ１１０側の構造物が少なく、ルーフバックメンバ１１０側の剛性が確保し難いためである。しかしながら、上開きのバックドアを有する車両であっても、当該車両後部構造１００を実施して車体剛性をさらに向上させることは可能である。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、車両後部構造に利用することができる。
【符号の説明】
【００５１】
Ｅ１…バックドア用開口、Ｌ１…車両中心線、１００…車両後部構造、１０２…ルーフパネル、１０４…ドリップレール、１０４ａ…ドリップレールリア、１０４ｂ…ドリップレールサイド、１０６…右側のバックピラー、１０６ａ…ピラー柱領域、１０６ｂ…ピラー延長領域、１０８…左側のバックピラー、１１０…ルーフバックメンバ、１１０ａ…ルーフバックインナ、１１０ｂ…ルーフバックアウタ、１１２…右側のリンフォース、１１２ａ…右側のルーフバックリンフォース、１１２ｂ…右側のピラーリンフォース、１１２ｃ…右側の連結部材、１１３…ルーフバックメンバとピラー延長領域との接合箇所、１１４…左側のリンフォース、１１４ａ…左側のルーフバックリンフォース、１１４ｂ…左側のピラーリンフォース、１１４ｃ…左側の連結部材、１１６…ルーフバックメンバの前壁、１１８…ルーフバックメンバの後壁、１２０…ドリップレールリアの前縁、１２２…ドリップレールリアの平面部、１２４…ビード、１２６…ランプ固定ブラケット
【図１】
2019156017.tif 000003
【図２】
2019156017.tif 000004
【図３】
2019156017.tif 000005
【図４】
2019156017.tif 000006